(57)【要約】      （修正有）【課題】どのような製品の梱包にも使用することができる緩衝材を提供する。【解決手段】Ｕ型の主体管１と挿入板２とを含んでなる。主体管１は、平面の外壁１１’と内壁を接続するか、外側に凹溝を具えた外壁と平面体の底壁及び内壁とを接続するか、或いは外側に凹溝を具えた外壁と平面の底壁及び内壁とを接続してＵ型槽を形成する。挿入板２は十字型を有した十字体とする。該十字体は、上端斜面２２１、２２３と下方斜面２２１′、２２４′、側面体２２５、２２５′、２２６、２２６′、２２７、２２７′とＴ型底座２２２、２２２′とＴ型底座２２２とＴ型底座２２２′との間に形成された伸縮空間と該十字体の中央部分に形成された十字支持空間とを含んでなる。【選択図】図１
0003164056.tif 000002
【実用新案登録請求の範囲】
【請求項１】
様々な形態のＵ型の主体管と様々な形態の挿入板とを含んでなり、
該主体管は、外壁と内壁が平面で両者を互いに接続してＵ型槽を形成するか、外壁面の両側に凹溝が形成され、平面体の底壁と内壁と外壁とでＵ型槽を形成するか、或いは外壁の両側に凹溝が設けられ、底壁及び内壁が平面体で、外壁に接続してＵ型槽を形成し、
挿入板が十字型か、弧状の十字型か、半円状の凹部を具えているか、方形の切り欠け部を具えているか、比較的大型の半円形の切り欠け部を具えてなるか、比較的小さな半円形の切り欠け部を具えてなるか、底面に楕円形の孔を具えてなるか、中央に円形の孔を具えてなるか、底面に楕円形の孔と円形の孔を具えてなるか、一部に円形の切り欠け部を具えてなるか、一部にＵ型の切り欠け部を具えてなるか、一部にＵ型の切り欠け部を具えてなるか、一部に半円状の切り欠け部を具えた凸ブロックを設けてなるか、一部に半円状の切り欠け部を具えたＵ型を呈してなるか、凸ブロックを具えたＵ型を呈してなり、
上述のＵ型の主体管の両端のＵ型の挿入溝にそれぞれの形態の挿入板を挿入して異なる形態の支持空間を形成することを特徴とする緩衝材。
【考案の詳細な説明】
【技術分野】
【０００１】
この考案は、緩衝材であって、特に電子機器、精密機器や陶器など様々な製品を梱包する場合に製品を保護するために用いる緩衝材に関する。
【背景技術】
【０００２】
一般に、電子機器の製品は輸送に便利なように紙製の梱包材で包装している。
【０００３】
特にノートブック型コンピュータ、ＵＳＢメモリ、メモリカード、携帯電話、精密機器などの部品、ガラス、ＬＥＤ関連製品及び陶器などは、従来、環境保護に則しない材料を緩衝材として使用してきた。
【０００４】
しかしながら、環境保護に反した材料は市場ですでに受け入れられなくなってきている。
【０００５】
また、電子機器製品の形態は種類が多く、特別な設計で電子機器製品を外部の衝撃から緩衝して運送する必要がある。
【０００６】
但し、従来の形態の緩衝材では、保護しなければならない製品を十分に保護することができない。
【考案の開示】
【考案が解決しようとする課題】
【０００７】
この考案は、どのような製品の梱包にも使用することができる緩衝材を提供することを課題とする。
【課題を解決するための手段】
【０００８】
そこで、本考案者は従来の技術に見られる欠点に鑑みて鋭意研究を重ねた結果、様々な形態のＵ型の主体管と様々な形態の挿入板とを含んでなり、
該主体管は、外壁と内壁が平面で両者を互いに接続してＵ型槽を形成するか、外壁面の両側に凹溝が形成され、平面体の底壁と内壁と外壁とでＵ型槽を形成するか、或いは外壁の両側に凹溝が設けられ、底壁及び内壁が平面体で、外壁に接続してＵ型槽を形成し、
挿入板が十字型か、弧状の十字型か、半円状の凹部を具えているか、方形の切り欠け部を具えているか、比較的大型の半円形の切り欠け部を具えてなるか、比較的小さな半円形の切り欠け部を具えてなるか、底面に楕円形の孔を具えてなるか、中央に円形の孔を具えてなるか、底面に楕円形の孔と円形の孔を具えてなるか、一部に円形の切り欠け部を具えてなるか、一部にＵ型の切り欠け部を具えてなるか、一部にＵ型の切り欠け部を具えてなるか、一部に半円状の切り欠け部を具えた凸ブロックを設けてなるか、一部に半円状の切り欠け部を具えたＵ型を呈してなるか、凸ブロックを具えたＵ型を呈してなり、
上述のＵ型の主体管の両端のＵ型の挿入溝にそれぞれの形態の挿入板を挿入して異なる形態の支持空間を形成する緩衝材によって課題を解決できる点に着眼し、かかる知見に基づいて本考案を完成させた。
【０００９】
以下、この考案について具体的に説明する。
請求項１に記載する緩衝材は、様々な形態のＵ型の主体管と様々な形態の挿入板とを含んでなり、
該主体管は、外壁と内壁が平面で両者を互いに接続してＵ型槽を形成するか、外壁面の両側に凹溝が形成され、平面体の底壁と内壁と外壁とでＵ型槽を形成するか、或いは外壁の両側に凹溝が設けられ、底壁及び内壁が平面体で、外壁に接続してＵ型槽を形成し、
挿入板が十字型か、弧状の十字型か、半円状の凹部を具えているか、方形の切り欠け部を具えているか、比較的大型の半円形の切り欠け部を具えてなるか、比較的小さな半円形の切り欠け部を具えてなるか、底面に楕円形の孔を具えてなるか、中央に円形の孔を具えてなるか、底面に楕円形の孔と円形の孔を具えてなるか、一部に円形の切り欠け部を具えてなるか、一部にＵ型の切り欠け部を具えてなるか、一部にＵ型の切り欠け部を具えてなるか、一部に半円状の切り欠け部を具えた凸ブロックを設けてなるか、一部に半円状の切り欠け部を具えたＵ型を呈してなるか、凸ブロックを具えたＵ型を呈してなり、
上述のＵ型の主体管の両端のＵ型の挿入溝にそれぞれの形態の挿入板を挿入して異なる形態の支持空間を形成する。
【考案の効果】
【００１０】
この考案の緩衝材は、様々な製品に対応できて実用的であるという効果を有する。
【考案を実施するための最良の形態】
【００１１】
この考案は、どのような製品の梱包にも使用することができる緩衝材であって、様々な形態のＵ型の主体管と様々な形態の挿入板とを含んでなり、
該主体管は、外壁と内壁が平面で両者を互いに接続してＵ型槽を形成するか、外壁面の両側に凹溝が形成され、平面体の底壁と内壁と外壁とでＵ型槽を形成するか、或いは外壁の両側に凹溝が設けられ、底壁及び内壁が平面体で、外壁に接続してＵ型槽を形成し、
挿入板が十字型か、弧状の十字型か、半円状の凹部を具えているか、方形の切り欠け部を具えているか、比較的大型の半円形の切り欠け部を具えてなるか、比較的小さな半円形の切り欠け部を具えてなるか、底面に楕円形の孔を具えてなるか、中央に円形の孔を具えてなるか、底面に楕円形の孔と円形の孔を具えてなるか、一部に円形の切り欠け部を具えてなるか、一部にＵ型の切り欠け部を具えてなるか、一部にＵ型の切り欠け部を具えてなるか、一部に半円状の切り欠け部を具えた凸ブロックを設けてなるか、一部に半円状の切り欠け部を具えたＵ型を呈してなるか、凸ブロックを具えたＵ型を呈してなり、
上述のＵ型の主体管の両端のＵ型の挿入溝にそれぞれの形態の挿入板を挿入して異なる形態の支持空間を形成する緩衝材の構造と特徴を詳述するために具体的な実施例を挙げ、図示を参照にして以下に説明する。
【実施例】
【００１２】
この考案の緩衝材１’、２’、３’、４’、５’、６’、７’、８’、９’、１０’は、Ｕ型の主体管１、３、５、７、１１、１５、１９、２３、２６、２８、２９と、挿入板６、１８、２２、２５、３０、３１か、或いは挿入板２、４、８、９、１２、１３、１６、１７２０、２１、２４、２７とを含んでなる。
【００１３】
図１から図８に開示するように、主体管１、３はいずれも外観が同じに形成され、外壁１１’、３１と内壁３２は、平面体で両者を互いに接続してＵ型槽１３’、３３を形成する。
【００１４】
図１から図４は、十字型の挿入板２を設けてＵ字体の中央に十字の形態を形成する。
【００１５】
該十字体は、上端斜面２２１、２２３、２２３’と、下方斜面２２１’、２２４、２２４’、側面体２２５、２２５’、２２６、２２６’、２２７、２２７’と、Ｔ型底座２２２、２２２’と、Ｔ型底座２２２とＴ型底座２２２’との間に形成された伸縮空間ｇ１と、該十字体の中央部分に形成された十字支持空間Ｖ１とを含んでなる。
【００１６】
図５から図８は、弧状十字型の挿入板４を設けてＵ字体の中央に十字の形態を形成する。
【００１７】
該十字体は、上端斜面４１、４３、４３’と、下方斜面４１’、４４、４４’と、側面体４５、４５’、４６、４６’、４７、４７’と、Ｔ型底座４２、４２’と、側面体４５、４５’の側面は弧状を呈し、Ｔ型底座４２とＴ型底座４２’の間に形成された伸縮空間ｇ２と、該十字体の中央部分に形成された十字支持空間Ｖ２とを含んでなる。
【００１８】
図９から図１２に開示するように、Ｕ型の主体管５は、両側に凹溝５２が形成された外壁５１と、底壁５３が平面体で、平面体の内壁５４と外壁５１とでＵ型槽５５を形成する。
【００１９】
挿入板６は上端に半円状の凹部６１が設けられ、挿入方向Ｐ１に沿ってＵ型槽５５の両側端縁部に挿入して支持空間Ｖ３を形成する。
【００２０】
図１３から図１６に開示するように、Ｕ型の主体管７は、両側に凹溝７１１、７１２が形成された外壁７１と、底壁７３とが平面体で、平面体の内壁７２と外壁７１に接続してＵ型槽７４を形成する。
【００２１】
Ｕ型槽７４は内側の設置方向Ｐ２に従って、挿入板８と、箱状の挿入板９と、補強板１０とを挿入する。
【００２２】
図１３に開示するように、挿入板８は、表面に凹部８１が形成され、挿入板９には切り欠け部９１が形成される。
【００２３】
図１７から図２０に開示するＵ型の主体管１１の外観と前述の実施形態のＵ型の主体管７とは同様に形成される。
【００２４】
Ｕ型槽１１’’には図１８に開示するように内側の設置方向Ｐ２に沿って、側面の一部に比較的大きな半円形の切り欠け部を具えた挿入板１２と、側面の一部に比較的小さい半円形の切り欠け部を具えた挿入板１３と、補強板１４とを挿設する。
【００２５】
該挿入板１２は、比較的大きな半円形の切り欠け部１２１が設けられ、挿入板１３には比較的小さな半円形の切り欠け部１３１が設けられる。
【００２６】
図２１から図２４は、Ｕ型の主体管１５の外観と上述の実施形態のＵ型の主体管５と同じに形成される。
【００２７】
Ｕ型槽１５’には図２２に開示するように、内側の設置方向Ｐ２に沿って挿入板１６と、挿入板１７とが設けられ、挿入方向Ｐ１に沿ってＵ型の挿入板１８を挿入する。
【００２８】
図２１に開示するように、挿入板１６は底部に楕円形の孔１６１が形成され、挿入板１７は表面中央に円形の孔１７１が形成される。
【００２９】
図２５から図２８に開示するように、Ｕ型の主体管１９の外観は、上述の実施形態におけるＵ型の主体管５、１５と同じに形成される。
【００３０】
図２６に開示するように、Ｕ型槽１９’は内側に設置方向Ｐ２に沿って挿入板２０と、挿入板２１とを挿設し、挿入方向Ｐ１に沿って挿入板２２を挿設する。
【００３１】
図２６に開示するように、該挿入板２０は、底部に楕円形の孔２０１と、側面の一部に半円形の切り欠け部２０２を具えてなり、挿入板２１は、表面中央に円形の孔２１１を設けてなり、挿入板２２も、側面に半円形の切り欠け部２２１を形成する。
【００３２】
図２９から図３２に開示するように、Ｕ型の主体管２３は外観が、上述の実施形態におけるＵ型の主体管７、１１の外観と同様に形成される。
【００３３】
図３０に開示するように、Ｕ型槽２３’は、内側に設置方向Ｐ２に沿って挿入板２４が挿設され、挿入方向Ｐ１に沿って挿入板２５が挿設される。
【００３４】
該切り欠け部２４１が設けられた挿入板２４と、挿入板２５は、Ｕ型板２５１で一部に凹部を具えた凸ブロック２５２を組み合わせる。
【００３５】
図３３から３６に開示するように、Ｕ型の主体管２６は外観が上述の実施形態におけるＵ型主体管７、１１、２３の外観と同様に形成される。
【００３６】
図３４に開示するように、Ｕ型槽２６’は、内側に設置方向Ｐ２に沿って挿入板２７を設けてなり、挿入方向Ｐ１に沿って挿入板２８を挿設する。
【００３７】
挿入板２７は、切り欠け部２７１を具えてなり、挿入板２８は上端に半円形の切り欠け部２８１を具えてなる。
【００３８】
図３７から図４０に開示するように、Ｕ型の主体管２９は外観が上述の実施形態におけるＵ型の主体管７、１１、２３、２６の外観と同様に形成される。
【００３９】
図３８に開示するように、Ｕ型槽２９’は内側に挿入方向Ｐ１に沿って挿入板３０が設けられ、もう一方の挿入方向Ｐ１から挿入板３１が挿設される。
【００４０】
挿入板３０は、Ｕ型板３０１と、凸ブロック３２とを組み合わせてなり、挿入板３１は、上端に半円形の切り欠け部３１１を形成する。  
【００４１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４２】
【図１】この考案の緩衝材を示した斜視図である。
【図２】この考案の緩衝材を分解した状態を示した説明図である。
【図３】図１に開示する緩衝材を底面から見た状態を示した平面図である。
【図４】図１に開示する緩衝材を底面から見た状態を示した側面図である。
【図５】この考案の緩衝材の第二の実施形態を示した斜視図である。
【図６】この考案の緩衝材の第二の実施形態を分解した状態を示した説明図である。
【図７】図５に開示する緩衝材を底面から見た状態を示した平面図である。
【図８】図５に開示する緩衝材を底面から見た状態を示した側面図である。
【図９】この考案の緩衝材の第三の実施形態を示した斜視図である。
【図１０】この考案の緩衝材の第三の実施形態を分解した状態を示した説明図である。
【図１１】図９に開示する緩衝材を底面から見た状態を示した平面図である。
【図１２】図９に開示する緩衝材を底面から見た状態を示した側面図である。
【図１３】この考案の緩衝材の第四の実施形態を示した斜視図である。
【図１４】この考案の緩衝材の第四の実施形態を分解した状態を示した説明図である。
【図１５】図１３に開示する緩衝材を底面から見た状態を示した平面図である。
【図１６】図１３に開示する緩衝材を底面から見た状態を示した側面図である。
【図１７】この考案の緩衝材の第五の実施形態を示した斜視図である。
【図１８】この考案の緩衝材の第五の実施形態を分解した状態を示した説明図である。
【図１９】図１７に開示する緩衝材を底面から見た状態を示した平面図である。
【図２０】図１７に開示する緩衝材を底面から見た状態を示した側面図である。
【図２１】この考案の緩衝材の第六の実施形態を示した斜視図である。
【図２２】この考案の緩衝材の第六の実施形態を分解した状態を示した説明図である。
【図２３】図２１に開示する緩衝材を底面から見た状態を示した平面図である。
【図２４】図２１に開示する緩衝材を底面から見た状態を示した側面図である。
【図２５】この考案の緩衝材の第七実施形態を示した斜視図である。
【図２６】この考案の緩衝材の第七の実施形態を分解した状態を示した説明図である。
【図２７】図２５に開示する緩衝材を底面から見た状態を示した平面図である。
【図２８】図２５に開示する緩衝材を底面から見た状態を示した側面図である。
【図２９】この考案の緩衝材の第八の実施形態を示した斜視図である。
【図３０】この考案の緩衝材の第八の実施形態を分解した状態を示した説明図である。
【図３１】図２９に開示する緩衝材を底面から見た状態を示した平面図である。
【図３２】図２９に開示する緩衝材を底面から見た状態を示した側面図である。
【図３３】この考案の緩衝材の第九の実施形態を示した斜視図である。
【図３４】この考案の緩衝材の第九の実施形態を分解した状態を示した説明図である。
【図３５】図３３に開示する緩衝材を底面から見た状態を示した平面図である。
【図３６】図３３に開示する緩衝材を底面から見た状態を示した側面図である。
【図３７】この考案の緩衝材の第十の実施形態を示した斜視図である。
【図３８】この考案の緩衝材の第十の実施形態を分解した状態を示した説明図である。
【図３９】図３７に開示する緩衝材を底面から見た状態を示した平面図である。
【図４０】図３８に開示する緩衝材を底面から見た状態を示した側面図である。
【符号の説明】
【００４３】
１、３、５、７、１１、１５、１９、２３、２６、２８、２９ Ｕ型の主体管
１’、２’、３’、４’、５’、６’、７’、８’、９’、１０’ 緩衝材
１１’、３１、５１、７１      外壁
１４                         補強板
３２、５４、７２             内壁
５２、７１１、７１２         凹溝
５３、７３                   底壁
６、１８、２５、３０、３１   挿入板
６１                         凹部
１１’’、１５’、１９’、２３’、２６’、２９’、１３、３３、５５、７４   Ｕ型槽
１８、３０                   挿入板（Ｕ型）
２２、２８、３１             挿入板（半円形の切り欠け部を具えたＵ型）
２２１’’                   上端斜面
２５                         挿入板（凹部を具えた凸ブロック）
２５１                       Ｕ型板
２５２                       凸ブロック
２、４、８、９、１２、１３、１６、１７、２０、２１、２４、２７ 挿入板
２                           十字型の挿入板
４                           弧状十字型の挿入板
８                           挿入板
８１                         凹部
９１                         切り欠け部
１２１、２０２               切り欠け部
１０、１４                   補強板
９、１２                     挿入板
１３                         挿入板
１３’、３３、７４             Ｕ型槽
１６                         挿入板（底部に楕円形の孔を具えた）
２０                         挿入板（底部に楕円形の孔を具えた）
１３１                       切り欠け部
１６、２０、１６１、２０１   孔
２０２                       切り欠け部
１６１                       孔
１７、２１                   挿入板
１７１、２１１               孔
２２１、２２３、２２３’、４１、４３、４３’  上端斜面
２２１’、２２４、２２４’、４１’、４４、４４’下方斜面
２４、２７                   挿入板
２４１、２７１、２８１、３１１ 切り欠け部
２２５、２２５’、２２６、２２６’、２２７、２２７’、４５、４５’、４６、  ４６’、４７、４７’          側面体
２２２、２２２’、４２、４２’Ｔ型底座
ｇ１、ｇ２                   伸縮空間
Ｐ１                         挿入方向
Ｐ２                         設置方向
Ｖ１、Ｖ２                   十字支持空間
Ｖ３                         支持空間
【図１】
0003164056.tif 000003
【図２】
0003164056.tif 000004
【図３】
0003164056.tif 000005
【図４】
0003164056.tif 000006
【図５】
0003164056.tif 000007
【図６】
0003164056.tif 000008
【図７】
0003164056.tif 000009
【図８】
0003164056.tif 000010
【図９】
0003164056.tif 000011
【図１０】
0003164056.tif 000012
【図１１】
0003164056.tif 000013
【図１２】
0003164056.tif 000014
【図１３】
0003164056.tif 000015
【図１４】
0003164056.tif 000016
【図１５】
0003164056.tif 000017
【図１６】
0003164056.tif 000018
【図１７】
0003164056.tif 000019
【図１８】
0003164056.tif 000020
【図１９】
0003164056.tif 000021
【図２０】
0003164056.tif 000022
【図２１】
0003164056.tif 000023
【図２２】
0003164056.tif 000024
【図２３】
0003164056.tif 000025
【図２４】
0003164056.tif 000026
【図２５】
0003164056.tif 000027
【図２６】
0003164056.tif 000028
【図２７】
0003164056.tif 000029
【図２８】
0003164056.tif 000030
【図２９】
0003164056.tif 000031
【図３０】
0003164056.tif 000032
【図３１】
0003164056.tif 000033
【図３２】
0003164056.tif 000034
【図３３】
0003164056.tif 000035
【図３４】
0003164056.tif 000036
【図３５】
0003164056.tif 000037
【図３６】
0003164056.tif 000038
【図３７】
0003164056.tif 000039
【図３８】
0003164056.tif 000040
【図３９】
0003164056.tif 000041
【図４０】
0003164056.tif 000042